(57)【要約】  本開示は、角度決定回路、角度決定方法、および折りたたみ式スクリーン端末を提供する。この回路は折りたたみ式スクリーン端末に用いられる。折りたたみ式スクリーン端末は、回転軸を介して回転自在に接続される第１のスクリーンおよび第２のスクリーンを含み、回転軸の外側に抵抗リングが嵌合されており、この回路は、第１の電源装置と、一端が第１の電源に電気的に接続される第１の抵抗と、第１のスクリーンに固設され、その一端が第１の抵抗の他端に電気的に接続され、その他端が抵抗リングに摺動自在に当接する第１の導電素子と、第２のスクリーンに固設され、その一端が抵抗リングに摺動自在に当接し、その他端が接地される第２の導電素子と、第１の抵抗の他端と第２の導電素子の他端との間の分圧値を取得し、第１の電源の電圧値、第１の抵抗の抵抗値、および分圧値に基づいて、第１のスクリーンと第２のスクリーンとのなす角を決定するためのプロセッサとを含む。
2022501644.tif 000002
【特許請求の範囲】
【請求項１】
回転軸を介して回転自在に接続される第１のスクリーンと第２のスクリーンを含む折りたたみ式スクリーン端末に用いられる角度決定回路であって、
前記回転軸の外側に抵抗リングが嵌合されており、
前記角度決定回路は、
第１の電源、
一端が前記第１の電源の出力端子に電気的に接続される第１の抵抗、
前記第１のスクリーンに固設され、一端が前記第１の抵抗の他端に電気的に接続され、他端が前記抵抗リングに摺動自在に当接する第１の導電素子、
前記第２のスクリーンに固設され、一端が前記抵抗リングに摺動自在に当接し、他端が接地される第２の導電素子であって、前記抵抗リング上の前記第１の導電素子と前記第２の導電素子の摺動経路が前記抵抗リングの周方向の同一のリング状領域に位置する、第２の導電素子、および
前記第１の抵抗の他端と前記第２の導電素子の他端との間の分圧値を取得し、前記第１の電源の電圧値、前記第１の抵抗の抵抗値、および取得された分圧値に基づいて、前記第１のスクリーンと前記第２のスクリーンとのなす角を決定するためのプロセッサを含む、角度決定回路。
【請求項２】
前記抵抗リング上の前記第１の導電素子と前記第２の導電素子の当接位置が、前記リング状領域を第１のアークセクションと第２のアークセクションに分割し、前記第１のアークセクションは、前記第２のアークセクションよりも前記第１のスクリーンの表示面から離れており、
前記プロセッサは具体的に、
前記第１の電源の電圧値、前記第１の抵抗の抵抗値、および取得された分圧値に基づいて、前記第１のアークセクションと前記第２のアークセクションの第１の並列抵抗値を計算し、
前記リング状領域のプリセット抵抗値と前記第１の並列抵抗値に基づいて、前記第１のスクリーンと前記第２のスクリーンとのなす角を計算するために用いられる、請求項１に記載の角度決定回路。
【請求項３】
前記プロセッサに電気的に接続され、前記第１のスクリーンと前記第２のスクリーンとのなす角がプリセット角度であるターゲットイベントを検出するために用いられる、検出モジュールをさらに含み、
前記プロセッサはさらに、
前記検出モジュールによって前記ターゲットイベントが検出された場合、前記第１の抵抗の他端と前記第２の導電素子の他端との間の分圧値を取得し、
前記第１の電源の電圧値、前記第１の抵抗の抵抗値、および取得された分圧値に基づいて、前記第１のアークセクションと前記第２のアークセクションの第２の並列抵抗値を計算し、
前記プリセット角度と前記第２の並列抵抗値に基づいて、前記リング状領域のリアルタイムの抵抗値を計算し、
前記リング状領域のプリセット抵抗値を、算出されたリアルタイムの抵抗値に更新するために用いられる、請求項２に記載の角度決定回路。
【請求項４】
前記第１のスクリーンには第１の接続部が固設されており、前記第２のスクリーンには第２の接続部が固設されており、前記第２の接続部と前記第１の接続部がお互いに嵌合されており、
前記検出モジュールは、
前記第２の接続部の壁に固設され、前記第２のスクリーンの表示面とのなす角が０度である、溝型フォトカプラ、および
前記第１の接続部の壁に固設され、前記第１のスクリーンの表示面とのなす角が前記プリセット角度であり、前記プリセット角度が０度よりも大きく１８０度以下である金属バッフルであって、前記第１のスクリーンと前記第２のスクリーンの相対的回転中、前記金属バッフルが前記溝型フォトカプラの溝に出入りすることができる金属バッフルを含み、
前記プロセッサは、前記溝型フォトカプラのコレクタ電極に電気的に接続され、前記プロセッサは具体的に、
前記コレクタ電極の出力状態がプリセット変化を生じたことが検出された場合、前記ターゲットイベントが検出されたと判断するために用いられる、請求項３に記載の角度決定回路。
【請求項５】
前記プリセット角度が１８０度未満であり、
前記プロセッサは具体的に、
前記コレクタ電極の出力状態が第１の状態から第２の状態に切り替えた後、第１の状態に戻されたことが検出された場合、前記ターゲットイベントが検出されたと判断するために用いられ、
あるいは、
前記プリセット角度が１８０度に等しく、
前記プロセッサは具体的に、
前記コレクタ電極の出力状態が第１の状態から第２の状態に切り替えたことが検出された場合、前記ターゲットイベントが検出されたと判断するために用いられる、請求項４に記載の角度決定回路。
【請求項６】
前記プリセット角度が１８０度未満であり、
前記プロセッサは具体的に、
前記ターゲットイベントが検出されたと判断された場合、前記出力状態が第２の状態に切り替える前と後の二つの第１の状態における、前記第１の抵抗の他端と前記第２の導電素子の他端との間の分圧値を取得し、
前記第１の電源の電圧値、前記第１の抵抗の抵抗値、および前記２つの分圧値の平均値に基づいて、前記第１のアークセクションと前記第２のアークセクションの第２の並列抵抗値を計算するために用いられる、請求項５に記載の角度決定回路。
【請求項７】
前記第１のスクリーンには第１の接続部が固設されており、前記第２のスクリーンには第２の接続部が固設されており、前記第２の接続部と前記第１の接続部がお互いに嵌合されており、
前記検出モジュールは、
第２の電源、
一端が前記第２の電源の出力端子に電気的に接続される第２の抵抗、
前記第２の接続部の壁に固設され、前記第２のスクリーンの表示面とのなす角が０度であり、前記第２の抵抗の他端に電気的に接続される金属弾性片、および
前記第１の接続部の壁に固設され、前記第１のスクリーンの表示面とのなす角が前記プリセット角度である金属バッフルであって、前記金属バッフルが接地され、前記プリセット角度が０度よりも大きく１８０度以下であり、前記第１のスクリーンと前記第２のスクリーンの相対的回転中、前記金属弾性片と前記金属バッフルとが接触できる金属バッフルを含み、
前記プロセッサは金属弾性片にも電気的に接続され、前記プロセッサは具体的に、
前記金属弾性片の信号状態が第３の状態から第４の状態に切り替えたことが検出された場合、前記ターゲットイベントが検出されたと判断するために用いられる、請求項３に記載の角度決定回路。
【請求項８】
前記プロセッサは具体的に、
取得された分圧値が前記プリセット角度に対応するプリセット電圧範囲内にある場合、前記第１の電源の電圧値、前記第１の抵抗の抵抗値、および取得された分圧値に基づいて、前記第１のアークセクションと前記第２のアークセクションの第２の並列抵抗値を計算するために用いられる、請求項７に記載の角度決定回路。
【請求項９】
アナログ・デジタルコンバータＡＤＣであって、前記プロセッサが前記アナログ・デジタルコンバータＡＤＣを介して前記第１の抵抗と前記第１の導電素子との共通端子に電気的に接続され、前記プロセッサは具体的に、前記アナログ・デジタルコンバータＡＤＣによるサンプリングで得られた分圧値を取得するために用いられるアナログ・デジタルコンバータＡＤＣをさらに含む、請求項１から８のいずれか一項に記載の角度決定回路。
【請求項１０】
請求項１から９のいずれか一項に記載の角度決定回路を含む、折りたたみ式スクリーン端末。
【請求項１１】
請求項１に記載の角度決定回路に用いられる角度決定方法であって、
前記角度決定回路内の第１の抵抗の他端と、前記角度決定回路内の第２の導電素子の他端との間の分圧値を取得すること、および
前記角度決定回路内の第１の電源の電圧値、前記第１の抵抗の抵抗値、および取得された分圧値に基づいて、前記角度決定回路を有する折りたたみ式スクリーン端末の第１のスクリーンと第２のスクリーンとのなす角を決定することを含む、角度決定方法。
【請求項１２】
請求項２に記載の角度決定回路に用いられ、
前記角度決定回路内の第１の電源の電圧値、前記第１の抵抗の抵抗値、および取得された分圧値に基づいて、前記角度決定回路を有する折りたたみ式スクリーン端末の第１のスクリーンと第２のスクリーンとのなす角を決定することは、
前記角度決定回路内の第１の電源の電圧値、前記第１の抵抗の抵抗値、および取得された分圧値に基づいて、第１のアークセクションと第２のアークセクションの第１の並列抵抗値を計算すること、および
リング状領域のプリセット抵抗値と前記第１の並列抵抗値に基づいて、前記角度決定回路を有する折りたたみ式スクリーン端末の第１のスクリーンと第２のスクリーンとのなす角を計算することを含む、請求項１１に記載の角度決定方法。
【請求項１３】
請求項３に記載の角度決定回路に用いられ、
前記角度決定方法はさらに、
前記角度決定回路内の検出モジュールによって前記第１のスクリーンと前記第２のスクリーンとのなす角がプリセット角度であるターゲットイベントが検出された場合、前記第１の抵抗の他端と前記第２の導電素子の他端との間の分圧値を取得すること、
前記第１の電源の電圧値、前記第１の抵抗の抵抗値、および取得された分圧値に基づいて、前記第１のアークセクションと前記第２のアークセクションの第２の並列抵抗値を計算すること、
前記プリセット角度と前記第２の並列抵抗値に基づいて、前記リング状領域のリアルタイムの抵抗値を計算すること、および
前記リング状領域のプリセット抵抗値を、算出されたリアルタイムの抵抗値に更新することを含む、請求項１２に記載の角度決定方法。
【請求項１４】
請求項４に記載の角度決定回路に用いられ、
前記角度決定回路内の検出モジュールによってターゲットイベントが検出された場合、前記第１の抵抗の他端と前記第２の導電素子の他端との間の分圧値を取得することは、
溝型フォトカプラのコレクタ電極の出力状態がプリセット変化を生じたことが検出された場合、前記ターゲットイベントが検出されたと判断し、前記第１の抵抗の他端と前記第２の導電素子の他端との間の分圧値を取得することを含む、請求項１３に記載の角度決定方法。
【請求項１５】
前記プリセット角度が１８０度未満であり、
溝型フォトカプラのコレクタ電極の出力状態がプリセット変化を生じたことが検出された場合、前記ターゲットイベントが検出されと判断することは、
溝型フォトカプラのコレクタ電極の出力状態が第１の状態から第２の状態に切り替えた後、第１の状態に戻されたことが検出された場合、前記ターゲットイベントが検出されたと判断することを含み、
あるいは、
前記プリセット角度が１８０度に等しく、
溝型フォトカプラのコレクタ電極の出力状態がプリセット変化を生じたことが検出された場合、前記ターゲットイベントが検出されと判断することは、
溝型フォトカプラのコレクタ電極の出力状態が第１の状態から第２の状態に切り替えたことが検出された場合、前記ターゲットイベントが検出されたと判断することを含む、請求項１４に記載の角度決定方法。
【請求項１６】
前記プリセット角度が１８０度未満であり、
前記ターゲットイベントが検出されたと判断し、前記第１の抵抗の他端と、前記第２の導電素子の他端との間の分圧値を取得することは、
前記ターゲットイベントが検出されたと判断し、前記出力状態が第２の状態に切り替える前と後の二つの第１の状態における、前記第１の抵抗の他端と前記第２の導電素子の他端との間の分圧値を取得することを含み、
前記第１の電源の電圧値、前記第１の抵抗の抵抗値、および取得された分圧値に基づいて、前記第１のアークセクションと前記第２のアークセクションの第２の並列抵抗値を計算することは、
前記第１の電源の電圧値、前記第１の抵抗の抵抗値、および前記２つの分圧値の平均値に基づいて、前記第１のアークセクションと前記第２のアークセクションの第２の並列抵抗値を計算することを含む、請求項１５に記載の角度決定方法。
【請求項１７】
請求項７に記載の角度決定回路に用いられ、
前記角度決定回路内の検出モジュールによってターゲットイベントが検出された場合、前記第１の抵抗の他端と前記第２の導電素子の他端との間の分圧値を取得することは、
金属弾性片の信号状態が第３の状態から第４の状態に切り替えたことが検出された場合、前記ターゲットイベントが検出されたと判断し、前記第１の抵抗の他端と前記第２の導電素子の他端との間の分圧値を取得することを含む、請求項１３に記載の角度決定方法。
【請求項１８】
前記第１の電源の電圧値、前記第１の抵抗の抵抗値、および取得された分圧値に基づいて、前記第１のアークセクションと前記第２のアークセクションの第２の並列抵抗値を計算することは、
取得された分圧値が前記プリセット角度に対応するプリセット電圧範囲内にある場合、前記第１の電源の電圧値、前記第１の抵抗の抵抗値、および取得された分圧値に基づいて、前記第１のアークセクションと前記第２のアークセクションの第２の並列抵抗値を計算することを含む、請求項１７に記載の角度決定方法。
【請求項１９】
請求項９に記載の角度決定回路に用いられ、
前記角度決定回路内の第１の抵抗の他端と、前記角度決定回路内の第２の導電素子の他端との間の分圧値を取得することは、
アナログ・デジタルコンバータＡＤＣによるサンプリングで得られた分圧値を取得することを含む、請求項１１から１８のいずれか一項に記載の角度決定方法。
【発明の詳細な説明】
【技術分野】
【０００１】
（関連出願の相互参照）
本出願は、２０１８年９月２０日に中国で出願された中国特許出願２０１８１１１０１７３４．３号の優先権を主張し、同出願の内容の全ては、ここに参照として取り込まれる。
本開示の実施例は、折りたたみ式スクリーンの技術分野、特に角度決定回路、角度決定方法、折りたたみ式スクリーン端末に関する。
【背景技術】
【０００２】
通信技術の急速な発展に伴い、折りたたみ式スクリーン端末はますます普及している。一般に、折りたたみ式スクリーン端末は、回転自在に接続される２つのスクリーンを含み、ユーザーは、実際の使用ニーズに基づいて、２つのスクリーン間のなす角（このなす角は折り曲げ角とも呼ばれ、折り曲げ角は０度から１８０度の範囲で変動することができる）を調整することができる。
【０００３】
多くの事例で、ユーザーは折りたたみ式スクリーン端末の折り曲げ角を決定したいことがある。現在では、一般的に使用される決定方法は、２つのスクリーンそれぞれに重力センサを追加し、重力センサの成分データに基づいて折り曲げ角を計算する。しかし、重力センサは、比較的複雑な機械的構造を持ち、この機械的構造は、熱応力の影響を受けやすい。このように、重力センサの成分データは、温度因子の影響を受ける可能性が非常に高い。その結果、上記決定方法の精度が比較的低い。
【発明の概要】
【発明が解決しようとする課題】
【０００４】
本開示の実施例は、従来の折りたたみ式スクリーン端末の折り曲げ角の決定方法の精度が比較的低いという問題を解決するための角度決定回路、角度決定方法、および折りたたみ式スクリーン端末を提供する。
【０００５】
前述の技術的問題を解決するために、本開示は以下のように実現される。
【課題を解決するための手段】
【０００６】
第１の態様によれば、本開示の実施例は、角度決定回路を提供する。
回転軸を介して回転自在に接続される第１のスクリーンおよび第２のスクリーンを含む折りたたみ式スクリーン端末に用いられる角度決定回路であって、
前記回転軸の外側に抵抗リングが嵌合されており、
前記角度決定回路は、
第１の電源、
一端が前記第１の電源の出力端子に電気的に接続される第１の抵抗、
前記第１のスクリーンに固設され、一端が前記第１の抵抗の他端に電気的に接続され、他端が前記抵抗リングに摺動自在に当接する第１の導電素子、
前記第２のスクリーンに固設され、一端が前記抵抗リングに摺動自在に当接し、他端が接地される第２の導電素子であって、前記抵抗リング上の前記第１の導電素子と前記第２の導電素子の摺動経路が、前記抵抗リングの周方向の同一のリング状領域に位置する第２の導電素子、および
前記第１の抵抗の他端と前記第２の導電素子の他端との間の分圧値を取得し、前記第１の電源の電圧値、前記第１の抵抗の抵抗値、および取得された分圧値に基づいて、前記第１のスクリーンと前記第２のスクリーンとのなす角を決定するためのプロセッサを含む。
【０００７】
第２の態様によれば、本開示の実施例は、前述の角度決定回路を含む折りたたみ式スクリーン端末を提供する。
【０００８】
第３の態様によれば、本開示の実施例は、前述の角度決定回路に用いられる角度決定方法を提供する。前記角度決定方法は、
前記角度決定回路内の第１の抵抗の他端と、前記角度決定回路内の第２の導電素子の他端との間の分圧値を取得すること、および
前記角度決定回路内の第１の電源の電圧値、前記第１の抵抗の抵抗値、および取得された分圧値に基づいて、前記角度決定回路を有する折りたたみ式スクリーン端末の第１のスクリーンと第２のスクリーンとのなす角を決定することを含む。
【０００９】
第４の態様によれば、本開示の実施例は、折りたたみ式スクリーン端末を提供する。メモリ、プロセッサ、および前記メモリに記憶され、前記プロセッサ上で運行することができるコンピューター・プログラムを含み、前記コンピューター・プログラムが前記プロセッサによって実行されるとき、前述の角度決定方法のステップが実現される。
【００１０】
本開示の実施例では、折りたたみ式スクリーン端末に角度決定回路を設けることができ、角度決定回路は、第１の電源、第１の抵抗、第１の導電素子、第２の導電素子、およびプロセッサを含むことができる。折りたたみ式スクリーン端末の回転軸の外側に抵抗リングが嵌合されていることが可能である。第１の導電素子と他の部品との間の接続関係を適切に設置し、第２の導電素子と他の部品との間の接続関係を適切に設置することで、第１の導電素子、抵抗リング、および第２の導電素子は分圧回路モジュールを構成することができ、また分圧回路モジュールの抵抗値と分圧値は、折りたたみ式スクリーンの折り曲げ角に関連している。分圧回路モジュールの抵抗値および、分圧値と折りたたみ式スクリーンの折り曲げ角との相関に基づいて、分圧回路モジュールの分圧値を取得した後、プロセッサは、第１の電源の電圧値、第１の抵抗の抵抗値、および分圧回路モジュールの分圧値に基づいて、折りたたみ式スクリーン端末の折り曲げ角を決定することができる。
【００１１】
本開示の実施例では、折りたたみ式スクリーン端末の折り曲げ角は、角度決定回路によって決定され、角度決定回路の全体的な構造は非常に単純であり、角度決定回路は、複雑な機械的構造を含まないことがわかる。また、角度決定回路内の各部品の性能は、温度因子の影響を受けにくくなる。したがって、関連する技術と比較して、折り曲げ角を決定する際に、本開示の実施例は、決定結果に対する温度因子の影響を効果的に回避することができ、それによって決定された折り曲げ角の精度を向上させる。
【００１２】
本開示の実施例における技術案をより明確に説明するために、以下にて本開示の実施例を説明するために必要な付随図を簡単に紹介する。一見して、以下の説明の添付図は、本開示のいくつかの実施例に過ぎず、当業者にとって、創造的な努力なしにこれらの付随図面から他の図面を引き出すことができる。
【図面の簡単な説明】
【００１３】
【図１】本開示の実施例による角度決定回路の模式構造図のその１である。
【図２】本開示の実施例による折りたたみ式スクリーン端末の模式構造図である。
【図３】本開示の実施例による角度決定回路の作業フローチャートである。
【図４】本開示の実施例による角度決定回路の等価回路図である。
【図５】本開示の実施例による角度決定回路の模式構造図のその２である。
【図６】溝型フォトカプラの模式構造図である。
【図７】本開示の実施例による角度決定回路の模式構造図のその３である。
【図８】本開示の実施例による角度決定方法のフローチャートである。
【図９】本開示の実施例による折りたたみ式スクリーン端末のハードウェアの模式構造図である。
【発明を実施するための形態】
【００１４】
以下は、本開示の実施例における付随図面を参照し、本開示の実施例における技術案を明確かつ完全に説明する。一見して、記載された実施例は、本開示の実施例の一部であり、すべてではない。本開示の実施例に基づいて、当業者が創造的努力なしに、取得した他の実施例は、本開示の保護範囲内に収まるものとする。
【００１５】
図１を参照して、図１は、本開示の実施例による角度決定回路の模式構造図である。この角度決定回路は、折りたたみ式スクリーン端末に用いられる。折りたたみ式スクリーン端末は、回転軸を介して回転自在に接続される第１のスクリーン１と第２のスクリーン２を含み、回転軸の外側に抵抗リング３が嵌合されている。
【００１６】
第１のスクリーン１と第２のスクリーン２は、回転軸を介して回転自在に接続されているため、第１のスクリーン１と第２のスクリーン２の相対位置は、図１または図２に示す状態であってもよい。図２では、接続部分１０１、接続部分１０２、接続部分１０３が第１のスクリーン１に固設され、接続部分２０１と接続部分２０２が第２のスクリーン２に固設されている。
【００１７】
図１に示すように、本開示の実施例による角度決定回路は、第１の電源４、第１の抵抗５、第１の導電素子６、第２の導電素子７、およびプロセッサを含む。
【００１８】
ただし、第１の抵抗５の一端は、第１の電源４の出力端子に電気的に接続される。具体的には、第１の電源４は電圧調整電源装置であってもよい。
【００１９】
第１の導電素子６は、第１のスクリーン１に固設され、第１の導電素子６の一端は、第１の抵抗５の他端に電気的に接続され、第１の導電素子６の他端は、抵抗リング３に摺動自在に当接する。
【００２０】
具体的には、第１の導電素子６は金属材料で作成してもよく、第１の導電素子６は、第１のスクリーン１の表示面９に平行でもよい。さらに、第１の導電素子６の他端に第１の接触弾性片を設けることができ、第１の接触弾性片は抵抗リング３に摺動自在に当接することができ、第１の接触弾性片と抵抗リング３との間の接触方法は点接触であってもよい。
【００２１】
第２の導電素子７は、第２のスクリーン２に固設され、第２の導電素子７の一端は抵抗リング３に摺動自在に当接し、第２の導電素子７の他端は接地される。抵抗リング３上の第１の導電素子６および第２の導電素子７の摺動経路は、抵抗リング３の周方向の同一のリング状領域に位置する。
【００２２】
具体的には、第２の導電素子７は金属材料で作成してもよく、第２の導電素子７および第１の導電素子６に用いる金属材料は、同じでもよく、異なってもよい。第２の導電素子７は、第２のスクリーン２の表示面１０に平行でもよい。さらに、第２の導電素子７の一端に第２の接触弾性片を設けることができ、第２の接触弾性片は抵抗リング３に摺動自在に当接することができ、第２の接触弾性片と抵抗リング３との間の接触方法も点接触であってもよい。
【００２３】
本開示の実施例では、第１の接触弾性片と第２の接触弾性片の両方が抵抗リング３に摺動自在に当接し、第１のスクリーン１と第２のスクリーン２の相対的回転中に、抵抗リング３上の第１の接触弾性片と第２の接触弾性片の接触点位置は、相対的に変化する。
【００２４】
抵抗リング３上の第１の導電素子６と第２の導電素子７の摺動経路は抵抗リング３の周方向の同一のリング状領域に位置するため、抵抗リング３上の第１の接点弾性片と第２の接触弾性片の接触点位置の相対的な変化に応じて、第１の導電素子６、抵抗リング３、および第２の導電素子７によって形成される分圧回路モジュールの抵抗値が変化し、角度決定回路内の分圧回路モジュールの分圧値も変化する。ここからわかるように、分圧回路モジュールの抵抗値と、第１のスクリーン１と第２のスクリーン２とのなす角との間に一定の関連がある。言い換えれば、分圧回路モジュールの抵抗値は、折りたたみ式スクリーン端末の折り曲げ角と関連している。
【００２５】
プロセッサは、第１の抵抗５の他端と第２の導電素子７の他端との間の分圧値を取得し、第１の電源４の電圧値、第１の抵抗５の抵抗値、および取得された分圧値に基づいて第１のスクリーン１と第２のスクリーン２間のなす角（折り曲げ角とも呼ばれてもよい）を計算するために用いられる。
【００２６】
ただし、プロセッサは、中央処理装置（Ｃｅｎｔｒａｌ  Ｐｒｏｃｅｓｓｉｎｇ  Ｕｎｉｔ、ＣＰＵ）でもよい。
【００２７】
第１の抵抗５の他端と第２の導電素子７の他端との間の分圧値は、角度決定回路内の分圧回路モジュールの分圧値とみなされてよく、プロセッサがこの分圧値を取得する具体的な実現形式がさまざまであることに留意すべきである。以下に例を用いて説明する。
【００２８】
１つの実施形態では、角度決定回路は、アナログ・デジタルコンバータ（Ａｎａｌｏｇ−ｔｏ−Ｄｉｇｉｔａｌ  Ｃｏｎｖｅｒｔｅｒ、ＡＤＣ）をさらに含む。プロセッサは、ＡＤＣを介して第１の抵抗５と第１の導電素子６の共通端子に電気的に接続され、プロセッサは具体的に、ＡＤＣによるサンプリングで得られた分圧値を取得するために用いられる。
【００２９】
図１に示すように、第１の抵抗５の他端は、接続ライン１１を介して第１の導電素子６の一端に電気的に接続することができ、プロセッサは、ＡＤＣを介して接続ライン１１に電気的に接続することができることにより、プロセッサは第１の抵抗５と第１の導電素子６の共通端子に電気的に接続される。このようにして、ＡＤＣはＶｏを得ることができる。ここでのＶｏは分圧回路モジュールの分圧値である。
【００３０】
本実施形態を用いると、図３に示すように、折りたたみ式スクリーン端末の折り曲げ角は、第１のスクリーン１と第２のスクリーン２の相対的回転によって変化する。このようにして、分圧回路モジュールの抵抗値が変化し、それに応じて分圧回路モジュールの分圧値が変化する。次に、ＡＤＣは、分圧回路モジュールの分圧値を取得するためにサンプリングを行い、サンプリングで得られた分圧値をプロセッサに報告することができる。その後、プロセッサはＡＤＣによって報告された分圧値に基づいて、折りたたみ式スクリーン端末の折り曲げ角度を決定することができる。
【００３１】
本実施形態では、プロセッサは、ＡＤＣを介して分圧回路モジュールの分圧値を非常に簡便に取得することができることがわかる。さらに、ＡＤＣは、アナログ信号をデジタル信号に変換することができるため、最終的にプロセッサによって取得された電圧値がデジタル信号となり、プロセッサがデジタル信号を識別および処理することができるようになる。これによって、このデジタル信号に基づいて折り曲げ角を決定するようになる。
【００３２】
当然ながら、プロセッサによる分圧回路モジュールの分圧値の取得方法はこれに限定されず、具体には、実際の状況に基づいて決定されることができる。本開示の実施例はこれに限定されない。
【００３３】
本開示の実施例では、折りたたみ式スクリーン端末に角度決定回路を設けることができ、角度決定回路は、第１の電源４、第１の抵抗５、第１の導電素子６、第２の導電素子７、およびプロセッサを含むことができる。回転軸の外側に抵抗リング３が嵌合されていることができる。第１の導電素子６と他の部品との間の接続関係を適切に設置し、第２の導電素子７と他の部品との間の接続関係を適切に設置すると、第１の導電素子６、抵抗リング３、および第２の導電素子７は分圧回路モジュールを構成することができ、また分圧回路モジュールの抵抗値と分圧値は、折りたたみ式スクリーンの折り曲げ角に関連している。分圧回路モジュールの分圧値を取得した後、分圧回路モジュールの抵抗値および、分圧値と折りたたみ式スクリーンの折り曲げ角との相関に基づいて、プロセッサは、第１の電源４の電圧値、第１の抵抗５の抵抗値、および分圧回路モジュールの分圧値に基づいて、折りたたみ式スクリーン端末の折り曲げ角を決定することができる。
【００３４】
本開示の実施例では、折りたたみ式スクリーン端末の折り曲げ角は、角度決定回路によって決定され、角度決定回路の全体的な構造は非常に単純であり、角度決定回路は、複雑な機械的構造を含まないことがわかる。また、角度決定回路内の各部品の性能は、温度因子の影響を受けにくくなる。したがって、関連する技術と比較して、折り曲げ角を決定する際に、本開示の実施例は、決定結果に対する温度因子の影響を効果的に回避することができ、それによって決定された折り曲げ角の精度を向上させる。
【００３５】
選択的に、図１に示すように、抵抗リング３上の第１の導電素子６および第２の導電素子７の当接位置は、リング状領域を第１のアークセクション１２と第２のアークセクション１３に分割し、第１のアークセクション１２は、第２のアークセクション１３よりも、第１のスクリーン１の表示面９から離れている。第１のアークセクション１２はまた、第２のアークセクション１３よりも第２のスクリーン２の表示面１０から離れていることが理解できる。
【００３６】
プロセッサは具体的に、
第１の電源４の電圧値、第１の抵抗５の抵抗値、および取得された分圧値に基づいて、第１のアークセクション１２と第２のアークセクション１３の第１の並列抵抗値を計算し、
リング状領域のプリセット抵抗値と第１の並列抵抗値に基づいて、第１のスクリーン１と第２のスクリーン２とのなす角を計算するために用いられる。
【００３７】
図１の角度決定回路は、第１のスクリーン１と第２のスクリーン２の相対位置がどのような状態であるかにかかわらず、図４に示す回路に相当し得ることに留意すべきである。図４では、下方に配置された抵抗を可変抵抗とみなすことができ、図１の第１の導電素子６、抵抗リング３、第２の導電素子７によって構成される分圧回路モジュールに相当する。上方に配置された抵抗は固定抵抗とみなすことができ、図１の第１の抵抗５に相当する。ＶＤＤは図１の第１の電源４の電圧値に相当し、ＶｏはＡＤＣによるサンプリングによって得られる分圧値（つまり、分圧回路モジュールの分圧値）である。第１の抵抗５の抵抗値をＲ１、分圧回路モジュールの抵抗値をＲ２とすると、Ｒ１、Ｒ２、ＶＤＤ、およびＶｏは、次の式１を満たす。
Ｖｏ＝ＶＤＤ×Ｒ２／（Ｒ１＋Ｒ２）                                  （１）
【００３８】
抵抗型部品（例えば、抵抗リング３および第１の抵抗５）の抵抗値と比較して、第１の導電素子６および第２の導電素子７の抵抗値は非常に小さく、無視できることに留意すべきである。図１を参照して容易にわかるように、分圧回路モジュールの抵抗値は具体的に、第１のアークセクション１２と第２のアークセクション１３の並列抵抗値であってもよい。第１のアークセクション１２の抵抗値をｒ１、第２のアークセクション１３の抵抗値をｒ２とすると、ｒ１、ｒ２、Ｒ２は、次の式２を満たす。
Ｒ２＝ｒ１×ｒ２／（ｒ１＋ｒ２）                                （２）
【００３９】
第１のスクリーン１と第２のスクリーン２とのなす角（すなわち、折り曲げ角）がΦであるとすると、図１から分かるように、ｒ１、ｒ２、Φの三者は、一定の幾何学的関係を満たす。この幾何学的関係の詳細については、次の式３を参照する。
Φ＝３６０×ｒ２／（ｒ１＋ｒ２）                                （３）
ただし、ｒ１とｒ２の合計（つまり、ｒ１＋ｒ２）は、リング状領域のプリセット抵抗値である。理想的には、プリセット抵抗値を一つの特定の値とみなし、プリセット抵抗値をプロセッサに事前に保存することができる。
【００４０】
本実施例では、プロセッサにあらかじめ第１の電源４の電圧値ＶＤＤおよび第１の抵抗５の抵抗値Ｒ１も記憶することができる。プロセッサは、ＡＤＣによるサンプリングで得られた分圧回路モジュールの分圧値Ｖｏを取得し、あらかじめ記憶されたＶＤＤとＲ１、および取得されたＶｏを前述の式１に代入し、Ｒ２を得ることができる。この場合、得られたＲ２は、第１のアークセクション１２と第２のアークセクション１３の第１の並列抵抗値とする。
【００４１】
次に、プロセッサは、あらかじめ記憶されたプリセット抵抗値（すなわち、ｒ１とｒ２の合計）および第１のアークセクション１２と第２のアークセクション１３の第１の並列抵抗値Ｒ２を式２に代入し、ｒ１とｒ２の積を得ることができる。ｒ１とｒ２の和と積の両方が判明している場合、プロセッサは非常に簡便にｒ１とｒ２を計算することができると理解することができる。
【００４２】
次に、プロセッサは、算出されたｒ１とｒ２を式３に代入し、第１のスクリーン１と第２のスクリーン２とのなす角（すなわち、折り曲げ角）であるΦを得ることができる。
【００４３】
前述の式３は、次の式４に変形することができることに留意すべきである。
Φ＝３６０×１／（ｒ１／ｒ２＋１）                                  （４）
【００４４】
そうすると、ｒ１とｒ２を計算した後、プロセッサはｒ１とｒ２の比（すなわち、ｒ１／ｒ２）を計算することができる。その後、プロセッサは、算出されたｒ１とｒ２の比を前述の式４に代入し、折り曲げ角であるΦを得ることができる。
【００４５】
本実施例では、プロセッサは、第１の電源４の電圧値、第１の抵抗５の抵抗値、および取得された分圧値に基づいて、第１のアークセクション１２および第２のアークセクション１３の第１の並列抵抗値を計算できることがわかる。その後、プロセッサは、リング状領域のプリセット抵抗値と第１の並列抵抗値に基づいて、折りたたみ式スクリーン端末の折り曲げ角度を非常に簡便に計算することができる。
【００４６】
選択的に、角度決定回路には検出モジュールが含まれている。ただし、検出モジュールはプロセッサに電気的に接続され、検出モジュールはターゲットイベントを検出するために用いられる。ターゲットイベントは、第１のスクリーン１と第２のスクリーン２とのなす角がプリセット角度であるイベントである。
【００４７】
プロセッサはさらに、
検出モジュールによってターゲットイベントが検出された場合、第１の抵抗５の他端と第２の導電素子７の他端との間の分圧値を取得し、
第１の電源４の電圧値、第１の抵抗５の抵抗値、および取得された分圧値に基づいて、第１のアークセクション１２および第２のアークセクション１３の第２の並列抵抗値を計算し、
プリセット角度と第２の並列抵抗値に基づいて、リング状領域のリアルタイムの抵抗値を計算し、
リング状領域のプリセット抵抗値を、算出されたリアルタイムの抵抗値に更新するために用いられる。
【００４８】
ただし、プリセット角度は、４５度、９０度、または１８０度であってもよい。当然ながら、プリセット角度の値はそれに限定されず、ただプリセット角度が０度から１８０度の間であることを保証する必要があるだけにすぎない。プリセット角度の具体的な値は、本実施例では制限されない。
【００４９】
第１の導電素子６と第２の導電素子７はそれぞれ抵抗リング３に摺動自在に当接するため、動作中に抵抗リング３に機械的摩耗が生じ、運転時間が長くなるにつれて抵抗リング３の機械的摩耗度が増加する。その結果、リング状領域の実際の抵抗値（すなわち、ｒ１とｒ２の実際の合計）と接触インピーダンスの両方が変化する。そうすると、プロセッサが前述の式１から式３に基づいて折り曲げ角を計算する際に、計算結果の精度は、一定の影響を受ける。
【００５０】
これに鑑み、本実施例では、プロセッサは、式２および式３の両方に関するｒ１とｒ２（すなわち、プリセット抵抗値）の合計を校正することができる。プリセット抵抗値を校正するために、ターゲットイベントを検出するための検出モジュールを角度決定回路に設置することができる。ターゲットイベントは、折り曲げ角がプリセット角度であるイベントである。
【００５１】
検出モジュールの設置によって、プロセッサは、検出モジュールを使用してターゲットイベントを検出することができる。検出モジュールによってターゲットイベントが検出された場合、現在のΦ（すなわち、折り曲げ角）をプリセット角度とみなすことができる。この場合、プロセッサは、現在でＡＤＣによるサンプリングによって得られるＶｏ（すなわち、分圧回路モジュールの分圧値）を取得し、あらかじめ記憶されたＶＤＤとＲ１、および現在でＡＤＣによるサンプリングによって得られるＶｏを前述の式１に代入して、Ｒ２を得ることができる。このようにして、得られたＲ２は、第１のアークセクション１２と第２のアークセクション１３の第２の並列抵抗値として使用される。
【００５２】
次に、プロセッサは、第１のアークセクション１２と第２のアークセクション１３の第２の並列抵抗値であるＲ２を前述の式２に代入し、プリセット角度をΦの値として前述の式３に代入し、式２と式３を連立で解いて、ｒ１とｒ２をそれぞれ得ることができる。その後、プロセッサは、得られたｒ１とｒ２の合計を算出されたリング状領域のリアルタイムの抵抗値として使用することができる。最後に、プロセッサはリング状領域のプリセット抵抗値を算出されたリアルタイムの抵抗値で更新して、プリセット抵抗値に対する校正を実現する。
【００５３】
本実施例では、プロセッサはプリセット抵抗値に対する校正を非常に簡便に実施することができ、その結果、プロセッサは校正されたプリセット抵抗値に基づいて折り曲げ角を決定することができ、決定結果の精度を効果的に保証することができる。
【００５４】
選択的に、図５に示すように、第１のスクリーン１には第１の接続部１４が固設されており、第２のスクリーン２には第２の接続部１５が固設されており、第２の接続部１５と第１の接続部１４がお互いに嵌合する。第１のスクリーン１と第２のスクリーン２が相対的に回転する場合、第２の接続部１５と第１の接続部１４が相対的に回転することができることに留意すべきである。
【００５５】
検出モジュールには、溝型フォトカプラ１６と金属バッフル１７が含まれている。
【００５６】
ただし、溝型フォトカプラ１６は、第２の接続部１５部の壁に固設され、溝型フォトカプラ１６と第２のスクリーン２の表示面１０とのなす角は０度である。
【００５７】
金属バッフル１７は、第１の接続部１４の壁に固設され、金属バッフル１７と第１のスクリーン１の表示面９とのなす角がプリセット角度である。プリセット角度は０度より大きく、１８０度以下である。ただし、金属バッフル１７は、第１のスクリーン１と第２のスクリーン２の相対的回転中に、溝型フォトカプラ１６の溝１８に出入りすることができる。
【００５８】
プロセッサは溝型フォトカプラ１６のコレクタ電極に電気的に接続されており、プロセッサは具体的に、
コレクタ電極の出力状態がプリセット変化を生じたことが検出された場合、ターゲットイベントが検出されたと判断するために用いられる。
【００５９】
具体的には、第２の接続部１５が、第１の接続部１４の外側に嵌合されてもよい。この場合、溝型フォトカプラ１６を第２の接続部１５の内壁に溶接され、金属バッフル１７を第１の接続部１４の外壁に溶接されてもよい。当然ながら、第２の接続部１５は、第１の接続部１４の内部に嵌合してもよい。この場合、溝型フォトカプラ１６を第２の接続部１５の外壁に溶接してもよく、金属バッフル１７を第１の接続部１４の内壁に溶接しもよい。説明を容易にするために、本実施例では、いずれも第２の接続部１５が第１の接続部１４の外側に嵌合されている状態を例として用いる。
【００６０】
一般に、溝型フォトカプラ１６は図６に示す構造であり、溝型フォトカプラ１６には赤外線発光管１９とフォトトランジスタ２０が含まれる。溝型フォトカプラ１６の溝１８は赤外線発光管１９とフォトトランジスタ２０の間に設けられており、溝型フォトカプラ１６のコレクタ電極は、具体的に赤外線発光管１９のコレクタ電極である。
【００６１】
赤外線発光管１９とフォトトランジスタ２０の間に金属遮蔽がない場合、フォトトランジスタ２０はオン状態にあり、赤外線発光管１９とフォトトランジスタ２０との間に金属遮蔽がある場合、フォトトランジスタ２０はオフ状態にあると理解できる。溝型フォトカプラ１６は前述の特性を有するため、機械的な回転位置決めに溝型フォトカプラ１６を使用できる。
【００６２】
本実施例では、異なるプリセット角度によって、プロセッサは検出モジュールを使用してターゲットイベントを検出する方法が一定の相違がある。
【００６３】
１つの実現形式では、プリセット角度は１８０度未満であり、
プロセッサは具体的に、
コレクタ電極の出力状態が第１の状態から第２の状態に切り替えた後、第１の状態に戻されたことが検出された場合、ターゲットイベントが検出されたと判断するために用いられ、
別の実現形式では、プリセット角度は１８０度に等しく、
プロセッサは具体的に、
コレクタ電極の出力状態が第１の状態から第２の状態に切り替えたことが検出された場合、ターゲットイベントが検出されたと判断するために用いられる。
【００６４】
前述の２つの実現形式では、コレクタ電極の出力状態が第１の状態であることはフォトトランジスタ２０がオン状態であることを示すために用いられ、コレクタ電極の出力状態が第２の状態であることはてフォトトランジスタ２０がオフ状態であることを示すために用いられる。第１の状態は１で表し、第２の状態は０で表すことができる。
【００６５】
プリセット角度が１８０度未満（例えば、プリセット角度９０度）であるとすると、図５から容易にわかるように、折り曲げ角が９０度のとき、金属バッフル１７の一端が溝１８の内側にちょうど位置する。この場合、フォトトランジスタ２０はオフ状態にある。そうすると、フォトトランジスタ２０のコレクタ電極の出力状態は第２の状態である。折り曲げ角が９０度でない場合、金属バッフル１７の一端は溝１８の外側に位置する。この場合、フォトトランジスタ２０はオン状態にある。そうすると、フォトトランジスタ２０のコレクタ電極の出力状態は第１の状態である。
【００６６】
このようにして、折り曲げ角が９０度を超えるように第１の接続部１４および第２の接続部１５の相対的回転中に、コレクタ電極の出力状態が第１の状態から第２の状態に切り替え、その後第１の状態に戻る。これに鑑み、コレクタ電極の出力状態が第１の状態から第２の状態に切り替えた後、第１の状態に戻されたことが検出された場合、プロセッサはターゲットイベントが検出されたと判断することができる。
【００６７】
プリセット角度が１８０度に等しいとすると、図５から容易にわかるように、折り曲げ角が１８０度のとき、金属バッフル１７の一端が溝１８にちょうど位置する。この場合、フォトトランジスタ２０はオフ状態にある。そうすると、フォトトランジスタ２０のコレクタ電極の出力状態は第２の状態である。折り曲げ角が１８０度でない場合、金属バッフル１７の一端は溝１８の外側に位置する。この場合、フォトトランジスタ２０はオン状態にあり、フォトトランジスタ２０のコレクタ電極の出力状態は第１の状態である。折り曲げ角は大きくとも１８０度であるため、折り曲げ角が１８０度でない状態から１８０度に切り替えると、コレクタ電極の出力状態は第１の状態から第２の状態に変化するだけである。
【００６８】
このようにして、折り曲げ角が１８０度になるように第１の接続部１４と第２の接続部１５の相対的回転中に、コレクタ電極の出力状態が第１の状態から第２の状態に切り替える。これに鑑み、コレクタ電極の出力状態が第１の状態から第２の状態に切り替えたことが検出された場合、プロセッサはターゲットイベントが検出されたと判断することができる。
【００６９】
本実施例では、検出モジュールは非常に単純な構造を有し、プロセッサはコレクタ電極の出力状態の変化を検出するだけで、ターゲットイベントを確実に検出することができることがわかる。
【００７０】
選択的に、プリセット角度は１８０度未満であり、
プロセッサは具体的に、
ターゲットイベントが検出されたと判断された場合、出力状態が第２の状態に切り替える前と後の二つの第１の状態における第１の抵抗５の他端と第２の導電素子７の他端との間の分圧値を取得し、
第１の電源４の電圧値、第１の抵抗５の抵抗値、および２つの分圧値の平均値に基づいて、第１のアークセクション１２と第２のアークセクション１３の第２の並列抵抗値を計算する用いられる。
【００７１】
以下では、具体例を用いて本実施例の具体的な実施プロセスを説明する。
【００７２】
プリセット角度が９０度であるとすると、折り曲げ角が９０度を超えるプロセスで、コレクタ電極の出力状態が０から１に切り替え、また１から０に切り替える。プロセッサは、出力状態が１に切り替える前と後の２つの出力状態が０である場合の分圧回路モジュールの２つの分圧値、Ｖ９０１とＶ９０２を取得できる。次に、プロセッサは、Ｖ９０１とＶ９０２の平均値、つまり（Ｖ９０１＋Ｖ９０２）／２を計算することができる。その後、第２の並列抵抗値の計算時、プロセッサは（Ｖ９０１＋Ｖ９０２）／２をＶｏの実値として前述の式１に代入することができる。これによって、溝型フォトカプラ１６および金属バッフル１７の構造寸法が計算結果に影響を与えられないようになる。
【００７３】
本実施例では、プリセット角度が１８０度未満の場合、プロセッサは、第１の電源４の電圧値、第１の抵抗５の抵抗値、および２つの分圧値の平均値に基づいて、第２の並列抵抗値を計算することができ、これによって溝型フォトカプラ１６と金属バッフル１７の構造寸法による計算結果への影響を効果的に防げることがわかる。このようにして、プロセッサがプリセット抵抗値を校正するときの校正効果が効果的に保証される。
【００７４】
選択的に、図５に示すように、第１の接続部１４の外壁には、２つの金属バッフル１７を同時に設けることができる。１つの金属バッフル１７に対応するプリセット角度は９０度、もう１つの金属バッフル１７に対応するプリセット角度は１８０度であってもよい。Ｖ９０１とＶ９０２を得た後、プロセッサは、Ｖ９０１、Ｖ９０２、および１８０度のプリセット角度に基づいて、プリセット抵抗値を校正することもできる。
【００７５】
具体的には、１８０度というプリセット角度に対して、コレクタ電極の出力状態が０から１に切り替えたことをプロセッサが検出した場合、プロセッサは、出力状態が１に切り替えた後の抵抗分圧モジュールの分圧値Ｖ１８００を取得することができる。その後、線形抵抗の特性に基づいて、プロセッサは次の式５を用いてＶ１８０を得ることができる。
Ｖ１８０＝Ｖ１８００＋（Ｖ９０１−Ｖ９０２）／２                        （５）
【００７６】
その後、第２の並列抵抗値の計算時に、プロセッサはＶ１８０をＶｏの実値として前述の式１に代入し、計算結果に基づいてプリセット抵抗値を校正することができる。
【００７７】
本実施例では、第１の接続部１４の外壁に２つの金属バッフル１７が設けられることによって、０度から１８０度までを０度から９０度までと９０度から１８０度までの２つの区間に分割することができ、プロセッサは、抵抗の線形度に基づいて、９０度と１８０度の位置で、プリセット抵抗値を校正することができる。校正効果をさらに向上させるために、０度から１８０度までを２つ以上の区間に分割するように、２つ以上の金属バッフル１７（例えば、図５に基づいて１７０度の位置に金属バッフル１７をもう１つ設置することができる）を第１の接続部１４の外壁に設けることができる。
【００７８】
選択的に、図７に示すように、第１のスクリーン１には第１の接続部１４が固設されており、第２のスクリーン２は、第２の接続部１５が固設されており、第２の接続部１５と第１の接続部１４がお互いに嵌合する。第１のスクリーン１と第２のスクリーン２の相対的回転中に、第２の接続部１５と第１の接続部１４が相対的に回転することができることに留意すべきである。
【００７９】
検出モジュールには、第２の電源（図示されていない）、第２の抵抗（図示されていない）、金属弾性片２１（例えば、金属軟弾性片）、および金属バッフル１７が含まれる。
【００８０】
ただし、第２の抵抗の一端は、第２の電源の出力端子に電気的に接続される。具体的には、第２の電源の電圧値は１．８Ｖであってもよい。
【００８１】
金属弾性片２１は、第２の接続部１５の壁に固設され、金属弾性片２１と第２のスクリーン２の表示面１０とのなす角は０度であり、金属弾性片２１は、第２の抵抗の他端に電気的に接続される。
【００８２】
金属バッフル１７は、第１の接続部１４の壁に固設され、金属バッフル１７と第１のスクリーン１の表示面９とのなす角はプリセット角度であり、金属バッフル１７は接地され、プリセット角度は０度より大きく、１８０度以下である。第１のスクリーン１と第２のスクリーン２の相対的回転中に、金属弾性片２１が金属バッフル１７と接触することができる。選択的に、金属バッフル１７は、接地されてもよい。
【００８３】
プロセッサは、金属弾性片２１にも電気的に接続され、プロセッサは具体的に
金属弾性片２１の信号状態が第３の状態から第４の状態に切り替えたことが検出された場合、ターゲットイベントが検出されたと判断するために用いられる。
【００８４】
具体的には、第２の接続部１５が、第１の接続部１４の外側に嵌合されてもよい。この場合、金属弾性片２１は第２の接続部１５の内壁に溶接されてもよく、金属バッフル１７は、第１の接続部１４の外壁に溶接されてもよい。当然ながら、第２の接続部１５は、第１の接続部１４の内部に嵌合されてもよい。この場合、金属弾性片２１は第２の接続部１５の外壁に溶接されてもよく、金属バッフル１７は、第１の接続部１４の内壁に溶接されてもよい。説明を容易にするために、本実施例では、いずれも第２の接続部１５が第１の接続部１４の外側に嵌合されている状態を例として説明する。
【００８５】
本実施例では、金属弾性片２１の信号状態が第３の状態であることは、金属弾性片２１に電流が流れていないことを示すために用いられ、金属弾性片２１の信号状態が第４の状態であることは、金属弾性片２１に電流が流れることを示すために用いられる。第３の状態は１で表し、第４の状態は０で表すことができる。
【００８６】
具体的には、金属バッフル１７が１つ、２つ、３つ、または３つ以上であってもよいが、ここでは１つずつ列挙されない。
【００８７】
図７から容易にわかるように、折り曲げ角がプリセット角度であるとき、金属弾性片２１は金属バッフル１７とちょうど接触し、金属弾性片２１に電流が流れるため、金属弾性片２１の信号状態は第３の状態になる。折り曲げ角がプリセット角度でない場合、金属弾性片２１は金属バッフル１７と接触せず、金属弾性片２１には電流が流れないため、金属弾性片２１の信号状態は第４の状態になる。
【００８８】
このようにして、折り曲げ角がプリセット角度に達するように第１の接続部１４と第２の接続部１５の相対的回転中に、金属弾性片２１の信号状態が第３の状態から第４の状態に切り替える。これに鑑み、金属弾性片２１の信号状態が第３の状態から第４の状態に切り替えたことが検出された場合、プロセッサはターゲットイベントが検出されたと判断することができる。
【００８９】
本実施例では、検出モジュールは非常に単純な構造を有し、プロセッサは、金属弾性片２１の信号状態の変化を検出するだけで、ターゲットイベントを確実に検出することができることがわかる。
【００９０】
選択的に、プロセッサは具体的に、
取得された分圧値がプリセット角度に対応したプリセット電圧範囲内に収まる場合、第１の電源４の電圧値、第１の抵抗５の抵抗値、および取得された分圧値に基づいて、第１のアークセクション１２と第２のアークセクション１３の第２の並列抵抗値を計算する。
【００９１】
プリセット角度が９０度であるとすると、金属弾性片２１が金属軟弾性片の場合、金属弾性片２１が金属バッフル１７に接触する（つまり、折り曲げ角が９０度）状態から金属バッフル１７に接触しない状態になるプロセスでは、金属弾性片２１が振動する。金属弾性片２１の振動により、折り曲げ角が９０度ではない（例えば、折り曲げ角が９１度、９２度など）状態にあっても、プロセッサは、金属弾性片２１の信号状態が第３の状態から第４の状態に切り替えたことが検出したことがある。この場合、プロセッサは９０度の折り曲げ角に基づいてプリセット抵抗値を校正するため、校正されたプリセット抵抗値は実際の状況と一致しない。
【００９２】
前述の問題を解決するために、本実施例では、プロセッサは、ジッター除去アルゴリズムを使用してもよい。具体的には、プリセット角度とプリセット電圧範囲の間の対応関係を、プロセッサに記憶することができる。ただし、いずれか一つのプリセット角度に対応するプリセット電圧範囲には、折り曲げ角がプリセット角度であるときの分圧回路モジュールの分圧値の適切な値が含まれる。
【００９３】
例えば、９０度に対応するプリセット電圧範囲は（Ｖ９０３、Ｖ９０４）になる。ここで、Ｖ９０３はＶ９０４より小さく、Ｖ９０３はある折り曲げ角（例えば、折り曲げ角９０−Δ）に対応する分圧値とみなすことができ、Ｖ９０４は別の折り曲げ角（例えば、折り曲げ角９０＋Δ）に対応する分圧値とみなすことができ、Δは非常に小さい値である。このようにして、金属弾性片２１の信号状態の変化を検出してターゲットイベントを検出した後、プロセッサはＡＤＣによるサンプリングで得られた分圧値を取得することができる。次に、プロセッサは、取得された分圧値がＶ９０３とＶ９０４との間にあるかどうかを判断することができる。
【００９４】
決定結果が「はい」の場合、プロセッサは第２の並列抵抗値を計算して、プリセット抵抗値を校正することができる。
【００９５】
決定結果が「いいえ」の場合、折り曲げ角が実際にはプリセット角度ではないことを示し、ターゲットイベントがプロセッサによって検出されたことは、金属弾性片２１の振動に起因する可能性が高い。したがって、プロセッサは、第２の並列抵抗値も計算せず、プリセット抵抗値も校正しない。
【００９６】
本実施例では、折り曲げ角がプリセット角度であることをプロセッサが正確に判断できる場合、プロセッサは、折り曲げ角がプリセット角度である場合にのみ、プリセット抵抗値を校正することがわかる。これにより、プロセッサのリソース消費を効果的に節約し、プリセット抵抗値に対する校正時の校正効果を保証できる。
【００９７】
選択的に、前述の、溝型フォトカプラ１６を使用した校正方法と金属バッフル１７を使用した校正方法を組み合わせて、プリセット抵抗値に対する校正精度を向上させることができる。具体的には、第２の接続部１５の外壁には、溝型フォトカプラ１６と金属バッフル１７の両方を設置することができる。ただし、溝型フォトカプラ１６は、折り曲げ角が１８０度でない場合（例えば、９０度や１７０度など）を検出するために使用することができ、金属バッフル１７は折り曲げ角が１８０度の場合を検出するために使用することができる。
【００９８】
前述の実施例に係る折りたたみ式スクリーン端末は、タイプがさまざまであることに留意すべきである。具体的には、折りたたみ式スクリーン端末は、コンピューター（Ｃｏｍｐｕｔｅｒ）、携帯電話、タブレットコンピューター（Ｔａｂｌｅｔ  Ｐｅｒｓｏｎａｌ  Ｃｏｍｐｕｔｅｒ）、ラップトップコンピューター（Ｌａｐｔｏｐ  Ｃｏｍｐｕｔｅｒ）、パーソナルデジタルアシスタント（ｐｅｒｓｏｎａｌ  ｄｉｇｉｔａｌ  ａｓｓｉｓｔａｎｔ、略してＰＤＡ）、モバイルインターネットデバイス（Ｍｏｂｉｌｅ  Ｉｎｔｅｒｎｅｔ  Ｄｅｖｉｃｅ、ＭＩＤ）、ウェアラブルデバイス（Ｗｅａｒａｂｌｅ  Ｄｅｖｉｃｅ）などであってもよい。
【００９９】
以上をまとめ、関連する技術と比較して、本実施例では、折り曲げ角の決定時、決定結果に対する温度因子の影響を効果的に回避することができ、それによって決定された折り曲げ角の精度を向上させる。
【０１００】
本開示の実施例は、さらに折りたたみ式スクリーン端末を提供する。この折りたたみ式スクリーン端末は、前述の角度決定回路を含む。角度決定回路の具体的な実施プロセスは、前述の説明を参照すればよく、本開示の実施例に限定されない。
【０１０１】
角度決定回路は、前述の技術的効果を有するため、角度決定回路を有する折りたたみ式スクリーン端末も対応する技術的効果を有し、ここでは詳細については記載しない。
【０１０２】
図８を参照して、図８は、本開示の実施例による角度決定方法のフローチャートである。この方法は、折りたたみ式スクリーン端末の角度決定回路に用いられる。折りたたみ式スクリーン端末は、回転軸を介して回転自在に接続される第１のスクリーンおよび第２のスクリーンを含み、回転軸の外側に抵抗リングが嵌合されており、角度決定回路は、
第１の電源、
一端が第１の電源の出力端子に電気的に接続される第１の抵抗、
第１のスクリーンに固設され、一端が第１の抵抗の他端に電気的に接続され、他端が抵抗リングに摺動自在に当接する第１の導電素子、および
第２のスクリーンに固設され、一端が抵抗リングに摺動自在に当接し、他端が接地される第２の導電素子であって、抵抗リング上の第１の導電素子と第２の導電素子の摺動経路が、抵抗リングの周方向の同一のリング状領域に位置する第２の導電素子を含む。
【０１０３】
図８に示すように、この方法は以下のステップを含む。
【０１０４】
ステップ８０１：角度決定回路内の第１の抵抗の他端と、角度決定回路内の第２の導電素子の他端との間の分圧値を取得する。
【０１０５】
ステップ８０２：角度決定回路内の第１の電源の電圧値、第１の抵抗の抵抗値および取得された分圧値に基づいて、角度決定回路を有する折りたたみ式スクリーン端末の第１のスクリーンとの第２のスクリーンとのなす角を決定する。
【０１０６】
選択的に、抵抗リング上の第１の導電素子と第２の導電素子の当接位置が、リング状領域を第１のアークセクションと第２のアークセクションに分割し、第１のアークセクションは、第２のアークセクションよりも第１のスクリーンの表示面から離れている。
【０１０７】
角度決定回路内の第１の電源の電圧値、第１の抵抗の抵抗値、および取得された分圧値に基づいて、角度決定回路を有する折りたたみ式スクリーン端末の第１のスクリーンとの第２のスクリーンとのなす角を決定することは、
角度決定回路内の第１の電源の電圧値、第１の抵抗の抵抗値、および取得された分圧値に基づいて、第１のアークセクションと第２のアークセクションの第１の並列抵抗値を計算すること、および
リング状領域のプリセット抵抗値、および第１の並列抵抗値に基づいて、角度決定回路を有する折りたたみ式スクリーン端末の第１のスクリーンと第２のスクリーンとのなす角を計算することを含む。
【０１０８】
選択的に、角度決定回路はさらに、
第１のスクリーンと第２のスクリーンとのなす角がプリセット角度であるターゲットイベントを検出するための検出モジュールを含む。
【０１０９】
この方法はさらに、
角度決定回路内の検出モジュールによってターゲットイベントが検出された場合、第１の抵抗の他端と第２の導電素子の他端との間の分圧値を取得すること、
第１の電源の電圧値、第１の抵抗の抵抗値、および取得された分圧値に基づいて、第１のアークセクションと第２のアークセクションの第２の並列抵抗値を計算すること、
プリセット角度と第２の並列抵抗値に基づいて、リング状領域のリアルタイムの抵抗値を計算すること、および
リング状領域のプリセット抵抗値を、算出されたリアルタイムの抵抗値に更新することを含む。
【０１１０】
選択的に、第１のスクリーンには第１の接続部が固設されており、第２のスクリーンには第２の接続部が固設されており、第２の接続部と第１の接続部がお互いに嵌合されており、
検出モジュールは、
第２の接続部の壁に固設され、第２のスクリーンの表示面とのなす角が０度である溝型フォトカプラ、および
第１の接続部の壁に固設され、第１のスクリーンの表示面とのなす角がプリセット角度であり、プリセット角度は０度より大きく、１８０度以下である金属バッフルであって、第１のスクリーンと第２のスクリーンの相対的回転中、金属バッフルが溝型フォトカプラの溝に出入りすることができる金属バッフルを含み、
角度決定回路内の検出モジュールによってターゲットイベントが検出された場合、第１の抵抗の他端と第２の導電素子の他端との間の分圧値を取得することは、
溝型フォトカプラのコレクタ電極の出力状態がプリセット変化を生じたことが検出された場合、ターゲットイベントが検出されたと判断し、第１の抵抗の他端と第２の導電素子の他端との間の分圧値を取得することを含む。
【０１１１】
選択的に、プリセット角度は１８０度未満であり、
溝型フォトカプラのコレクタ電極の出力状態がプリセット変化を生じたことが検出された場合、ターゲットイベントが検出されたと判断することは、
溝型フォトカプラのコレクタ電極の出力状態が第１の状態から第２の状態に切り替えた後、第１の状態に戻されたことが検出された場合、ターゲットイベントが検出されたと判断することを含み、
あるいは
プリセット角度が１８０度に等しく、
溝型フォトカプラのコレクタ電極の出力状態がプリセット変化を生じたことが検出された場合、ターゲットイベントが検出されたと判断することは、
溝型フォトカプラのコレクタ電極の出力状態が第１の状態から第２の状態に切り替えたことが検出された場合、ターゲットイベントが検出されたと判断することを含む。
【０１１２】
選択的に、プリセット角度は１８０度未満であり、
ターゲットイベントが検出されたと判断し、第１の抵抗の他端と第２の導電素子の他端との間の分圧値を取得することは、
ターゲットイベントが検出されたと判断し、出力状態が第２の状態に切り替える前と後の二つの第１の状態における、第１の抵抗の他端と第２の導電素子の他端との間の分圧値を取得することを含み、
第１の電源の電圧値、第１の抵抗の抵抗値、および取得された分圧値に基づいて、第１のアークセクションと第２のアークセクションの第２の並列抵抗値を計算することは、
第１の電源の電圧値、第１の抵抗の抵抗値、および２つの分圧値の平均値に基づいて、第１のアークセクションと第２のアークセクションの第２の並列抵抗値を計算することを含む。
【０１１３】
選択的に、第１のスクリーンには第１の接続部が固設されており、第２のスクリーンには第２の接続部が固設されており、第２の接続部と第１の接続部がお互いに嵌合されており、
検出モジュールは、
第２の電源、
一端が第２の電源の出力端子に電気的に接続される第２の抵抗、
第２の接続部の壁に固設され、第２のスクリーンの表示面とのなす角が０度であり、第２の抵抗の他端に電気的に接続される金属弾性片、および
第１の接続部の壁に固設され、第１のスクリーンの表示面とのなす角がプリセット角度である金属バッフルであって、金属バッフルが接地され、プリセット角度が０度よりも大きく１８０度以下であり、第１のスクリーンと第２のスクリーンの相対的回転中、金属弾性片と金属バッフルとが接触できる金属バッフルを含み、
角度決定回路内の検出モジュールによってターゲットイベントが検出された場合、第１の抵抗の他端と第２の導電素子の他端との間の分圧値を取得することは、
金属弾性片の信号状態が第３の状態から第４の状態に切り替えたことが検出された場合、ターゲットイベントが検出されたと判断し、第１の抵抗の他端と第２の導電素子の他端との間の分圧値を取得することを含む。
【０１１４】
選択的に、第１の電源の電圧値、第１の抵抗の抵抗値、および取得された分圧値に基づいて、第１のアークセクションと第２のアークセクションの第２の並列抵抗値を計算することは、
取得された分圧値がプリセット角度に対応するプリセット電圧範囲内にある場合、第１の電源の電圧値、第１の抵抗の抵抗値、および取得された分圧値に基づいて、第１のアークセクションと第２のアークセクションの第２の並列抵抗値を計算することを含む。
【０１１５】
選択的に、角度決定回路はさらにＡＤＣを含み、ＡＤＣは第１の抵抗と第１の導電素子との共通端子に電気的に接続される。
【０１１６】
角度決定回路内の第１の抵抗の他端と角度決定回路内の第２の導電素子の他端との間の分圧値を取得することは、
ＡＤＣによるサンプリングで得られた分圧値を取得することを含む。
【０１１７】
本開示の実施例では、折りたたみ式スクリーン端末の折り曲げ角は、角度決定回路によって決定され、角度決定回路の全体的な構造は非常に単純であり、角度決定回路は、複雑な機械的構造を含まないことがわかる。また、角度決定回路内の各部品の性能は、温度因子の影響を受けにくくなる。したがって、関連する技術と比較して、折り曲げ角を決定する際に、本開示の実施例は、決定結果に対する温度因子の影響を効果的に回避することができ、それによって決定された折り曲げ角の精度を向上させる。
【０１１８】
図９について、図９は、本開示の実施例による折りたたみ式スクリーン端末９００のハードウェアの模式構造図である。図９に示すように、折りたたみ式スクリーン端末９００は、無線周波数ユニット９０１、ネットワークモジュール９０２、音声出力ユニット９０３、入力ユニット９０４、センサ９０５、表示ユニット９０６、ユーザー入力ユニット９０７、インターフェース・ユニット９０８、メモリ９０９、プロセッサ９０１０、および電源９０１１などの部品を含むが、これらに限定されない。当業者は、図９に示す折りたたみ式スクリーン端末の構造は、折りたたみ式スクリーン端末９００に制限をもたらすものではなく、折りたたみ式スクリーン端末９００は、図示されているものよりも多いもしくは少ない部品を含み、あるいは、いくつかの部品もしくは異なる部品の配置を組み合わせてもよいことがわかる。本開示の実施例において、折りたたみ式スクリーン端末９００は、携帯電話、タブレットコンピューター、パームトップコンピューター、車載端末、ウェアラブル機器、歩数計などを含むが、これらに限定されない。留意すべきことは、折りたたみ式スクリーン端末９００は、回転軸を介して回転自在に接続される第１のスクリーンおよび第２のスクリーンを含み、回転軸の外側に抵抗リングが嵌合されており、折りたたみ式スクリーン端末９００はさらに角度決定回路を含み、この回路は、
第１の電源、
一端が第１の電源の出力端子に電気的に接続される第１の抵抗、
第１のスクリーンに固設され、一端が第１の抵抗の他端に電気的に接続され、他端が抵抗リングに摺動自在に当接する第１の導電素子、および
第２のスクリーンに固設され、一端が抵抗リングに摺動自在に当接し、他端が接地される第２の導電素子であって、抵抗リング上の第１の導電素子と第２の導電素子の摺動経路が、抵抗リングの周方向の同一のリング状領域に位置する第２の導電素子を含む。
【０１１９】
プロセッサ９０１０は、
角度決定回路内の第１の抵抗の他端と、角度決定回路内の第２の導電素子の他端との間の分圧値を取得し、
角度決定回路内の第１の電源の電圧値、第１の抵抗の抵抗値、および取得された分圧値に基づいて、角度決定回路を有する折りたたみ式スクリーン端末の第１のスクリーンと第２のスクリーンとのなす角を決定するために用いられる。
【０１２０】
本開示の実施例では、折りたたみ式スクリーン端末９００の折り曲げ角は、角度決定回路によって決定され、角度決定回路の全体的な構造は非常に単純であり、角度決定回路は複雑な機械的構造を含まない。また、角度決定回路内の各部品の性能は、温度因子の影響を受けにくくなる。したがって、関連する技術と比較して、折り曲げ角を決定する際に、本開示の実施例は、決定結果に対する温度因子の影響を効果的に回避することができ、それによって決定された折り曲げ角の精度を向上させる。
【０１２１】
選択的に、抵抗リング上の第１の導電素子と第２の導電素子の当接位置が、リング状領域を第１のアークセクションと第２のアークセクションに分割し、第１のアークセクションは、第２のアークセクションよりも第１のスクリーンの表示面から離れている。
【０１２２】
プロセッサ９０１０は具体的に、
角度決定回路内の第１の電源の電圧値、第１の抵抗の抵抗値、および取得された分圧値に基づいて、第１のアークセクションと第２のアークセクションの第１の並列抵抗値を計算し、
リング状領域のプリセット抵抗値と第１の並列抵抗値に基づいて、角度決定回路を有する折りたたみ式スクリーン端末の第１のスクリーンと第２のスクリーンとのなす角を計算するために用いられる。
【０１２３】
選択的に、角度決定回路はさらに、
第１のスクリーンと第２のスクリーンとのなす角がプリセット角度であるターゲットイベントを検出するための検出モジュールを含み、
プロセッサ９０１０はさらに、
角度決定回路内の検出モジュールによってターゲットイベントが検出された場合、第１の抵抗の他端と第２の導電素子の他端との間の分圧値を取得し、
第１の電源の電圧値、第１の抵抗の抵抗値、および取得された分圧値に基づいて、第１のアークセクションと第２のアークセクションの第２の並列抵抗値を計算し、
プリセット角度と第２の並列抵抗値に基づいて、リング状領域のリアルタイムの抵抗値を計算し、
リング状領域のプリセット抵抗値を、算出されたリアルタイムの抵抗値に更新するために用いられる。
【０１２４】
選択的に、第１のスクリーンには第１の接続部が固設されており、第２のスクリーンには第２の接続部が固設されており、第２の接続部と第１の接続部がお互いに嵌合されており、
検出モジュールは、
第２の接続部の壁に固設され、第２のスクリーンの表示面とのなす角が０度である溝型フォトカプラ、および
第１の接続部の壁に固設され、第１のスクリーンの表示面とのなす角がプリセット角度であり、プリセット角度が０度よりも大きく１８０度以下である金属バッフルであって、第１のスクリーンと第２のスクリーンの相対的回転中、金属バッフルが溝型フォトカプラの溝に出入りすることができる金属バッフルを含み、
プロセッサ９０１０は具体的に、
溝型フォトカプラのコレクタ電極の出力状態がプリセット変化を生じたことが検出された場合、ターゲットイベントが検出されたと判断し、第１の抵抗の他端と第２の導電素子の他端との分圧値を取得するために用いられる。
【０１２５】
選択的に、プリセット角度は１８０度未満であり、
プロセッサ９０１０は具体的に、
溝型フォトカプラのコレクタ電極の出力状態が第１の状態から第２の状態に切り替えた後、第１の状態に戻ったことが検出された場合、ターゲットイベントが検出されたと判断するために用いられる、
あるいは、
プリセット角度が１８０度に等しく、
プロセッサ９０１０は具体的に、
溝型フォトカプラのコレクタ電極の出力状態が第１の状態から第２の状態に切り替えたことが検出された場合、ターゲットイベントが検出されたと判断するために用いられる、
【０１２６】
選択的に、プリセット角度は１８０度未満であり、
プロセッサ９０１０は具体的に、
ターゲットイベントが検出されたと判断された場合、出力状態が第２の状態に切り替える前と後の二つの第１の状態における、第１の抵抗の他端と第２の導電素子の他端との間の分圧値を取得し、
第１の電源の電圧値、第１の抵抗の抵抗値、および２つの分圧値の平均値に基づいて、第１のアークセクションと第２のアークセクションの第２の並列抵抗値を計算するために用いられる。
【０１２７】
選択的に、第１のスクリーンには第１の接続部が固設されており、第２のスクリーンには第２の接続部が固設されており、第２の接続部と第１の接続部がお互いに嵌合されており、
検出モジュールは、
第２の電源、
一端が第２の電源の出力端子に電気的に接続される第２の抵抗、
第２の接続部の壁に固設され、第２のスクリーンの表示面とのなす角が０度であり、第２の抵抗の他端に電気的に接続される金属弾性片、および
第１の接続部の壁に固設され、第１のスクリーンの表示面とのなす角がプリセット角度である金属バッフルであって、金属バッフルは接地され、プリセット角度が０度よりも大きく１８０度以下であり、第１のスクリーンと第２のスクリーンの相対的回転中金属弾性片が金属バッフルと接触することができる金属バッフルを含み、
プロセッサ９０１０は具体的に、
金属弾性片の信号状態が第３の状態から第４の状態に切り替えたことが検出された場合、ターゲットイベントが検出されたと判断し、第１の抵抗の他端と第２の導電素子の他端との間の分圧値を取得するために用いられる。
【０１２８】
選択的に、プロセッサ９０１０は具体的に、
取得された分圧値がプリセット角度に対応するプリセット電圧範囲内にある場合、第１の電源の電圧値、第１の抵抗の抵抗値、および取得された分圧値に基づいて、第１のアークセクションと第２のアークセクションの第２の並列抵抗値を計算するために用いられる。
【０１２９】
選択的に、角度決定回路はさらにＡＤＣを含み、ＡＤＣは第１の抵抗と第１の導電素子との共通端子に電気的に接続される。
【０１３０】
プロセッサ９０１０は具体的に、
ＡＤＣによるサンプリングで得られた分圧値を取得するために用いられる。
【０１３１】
本開示の実施例では、無線周波数ユニット９０１は、情報送受信または通話中の信号の送受信に用いられ、具体的に、基地局からの下りリンクデータを受信した後、プロセッサ９０１０に送信して処理させ、また上りリンクデータを基地局に送信するために用いられる。一般に、無線周波数ユニット９０１には、アンテナ、少なくとも１つのアンプ、送受信機、カプラ、低雑音増幅器、デュープレクサーなどを含むが、これらに限定されない。さらに、無線周波数ユニット９０１は、無線通信システムを介してネットワークおよび他の装置と通信することができる。
【０１３２】
折りたたみ式スクリーン端末は、ネットワークモジュール９０２を介してワイヤレスブロードバンドインターネットアクセスをユーザーに提供し、例えば、ユーザーの電子メールの送受信、Ｗｅｂページの閲覧、またストリーミングメディアへのアクセスなどを支援する。
【０１３３】
音声出力ユニット９０３は、無線周波数ユニット９０１またはネットワークモジュール９０２によって受信されたまたはメモリ９０９に記憶された音声データを音声信号に変換し、音声として出力することができる。さらに、音声出力ユニット９０３は、折りたたみ式スクリーン端末９００によって実行される特定の機能に関する音声出力（例えば、呼び出し信号受信音やメッセージ受信音など）を提供することもできる。音声出力ユニット９０３には、スピーカー、ブザー、受話器などが含まれる。
【０１３４】
入力ユニット９０４は、音声信号またはビデオ信号を受信するために用いられる。入力ユニット９０４には、グラフィックス・プロセッシング・ユニット（Ｇｒａｐｈｉｃｓ  Ｐｒｏｃｅｓｓｉｎｇ  Ｕｎｉｔ、ＧＰＵ）９０４１とマイク９０４２を含めることができる。グラフィックス・プロセッシング・ユニット９０４１は、ビデオキャプチャモードまたは画像キャプチャモードで画像キャプチャ装置（カメラなど）によって取得された静止画像またはビデオの画像データを処理する。処理されたイメージフレームは、表示ユニット９０６に表示されてもよい。グラフィックス・プロセッシング・ユニット９０４１によって処理されたイメージフレームは、メモリ９０９（または他の記憶媒体）に記憶するか、無線周波数ユニット９０１またはネットワークモジュール９０２を介して送信することができる。マイク９０４２は、音を受信し、受信した音を音声データに加工することができる。処理された音声データは、電話通話モードで、無線周波数ユニット９０１を介して移動体通信基地局に送信できるフォーマット出力に変換することができる。
【０１３５】
折りたたみ式スクリーン端末９００はさらに少なくとも１つのセンサ９０５を含めることができ、たとえば、光センサ、モーションセンサ、および別のセンサなどである。具体的には、光センサには、周囲光センサと近接センサを含めることができる。周囲光センサは、周囲光の明るさに基づいて表示パネル９０６１の輝度を調整することができ、また近接センサは、折りたたみ式スクリーン端末９００が耳の近くに移動するとき、表示パネル９０６１および/またはバックライトをオフにすることができる。モーションセンサの一種として、加速度センサは、全方向（通常は３軸）の加速度の大きさを検出することができ、静止状態にあるときに、振幅と重力の方向を検出することができ、折りたたみ式スクリーン端末の姿勢認識（例えば、縦長と横長のスクリーン切り替え、関連ゲーム、磁力姿勢校正など）や振動認識関連機能（歩数計、タッピングなど）などに適用できる。センサ９０５はまた、指紋センサ、圧力センサ、虹彩センサ、分子センサ、ジャイロスコープ、気圧計、湿度計、温度計、赤外線センサなどを含むことができる。詳細はここには記載されていない。
【０１３６】
表示ユニット９０６は、ユーザーによって入力された情報、またはユーザーに提供された情報を表示するために用いられる。表示パネル９０６１を含むことができ、表示パネル９０６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示ユニット９０６を配置することができる。
【０１３７】
ユーザー入力ユニット９０７は、数字や文字の入力情報を受信し、折りたたみ式スクリーン端末のユーザー設置や機能制御に関するキー信号入力を生成するために用いられる。具体的には、ユーザー入力ユニット９０７は、タッチパネル９０７１と他の入力デバイス９０７２を含むことができる。タッチパネル９０７１は、タッチスクリーンとも呼ばれ、タッチパネル９０７１は、その上またはその近くのユーザーのタッチ操作（タッチパネル９０７１上またはタッチパネル９０７１の近くで、指またはスタイラスなどの適切なオブジェクトやアクセサリを使用して行う操作など）を収集することができる。そのうち、タッチパネル９０７１は、タッチ検出装置とタッチコントローラの２つの部品を含むことができる。そのうち、タッチ検出装置は、ユーザーのタッチ方向を検出し、タッチ操作によってもたらす信号を検出し、その信号をタッチコントローラに送信する。タッチコントローラは、タッチ検出装置上にタッチ情報を受信し、それを接触点座標に変換し、この接触点座標をプロセッサ９０１０に送信し、プロセッサ９０１０から送信されたコマンドを受信して実行する。さらに、タッチパネル９０７１は、例えば、抵抗型、静電容量型、赤外線、または表面音波などのさまざまな形態で、実現できる。タッチパネル９０７１に加え、ユーザー入力ユニット９０７は、さらに他の入力デバイス９０７２を含むことができる。具体的には、他の入力デバイス９０７２には、物理キーボード、ファンクションキー（ボリュームコントロールキーまたは電源オン／オフキーなど）、トラックボール、マウス、ジョイスティックなどが含まれるが、これらに限定されない。詳細はここには記載されていない。
【０１３８】
さらに、タッチパネル９０７１は表示パネル９０６１に覆われてもよい。タッチパネル９０７１がその上またはその近くのタッチ操作を検出すると、タッチパネル９０７１はタッチイベントのタイプを決定するようにプロセッサ９０１０に送信し、その後、プロセッサ９０１０は、タッチイベントのタイプに基づいて、表示パネル９０６１上に対応する視覚出力を提供する。図９では、タッチパネル９０７１と表示パネル９０６１は、２つの独立した部品として折りたたみ式スクリーン端末の入出力機能を実施するが、いくつかの実施例では、タッチパネル９０７１と表示パネル９０６１を統合し、折りたたみ式スクリーン端末の入出力機能を実施してもよい。具体的に、ここで限定されるものではない。
【０１３９】
インターフェース・ユニット９０８は、外部装置と折りたたみ式スクリーン端末９００と接続するインターフェースである。例えば、外部装置には、有線または無線のヘッドセット・ポート、外部電源（またはバッテリ充電器）ポート、有線または無線データポート、メモリカードポート、識別モジュールを有する装置と接続するためのポート、音声入出力（Ｉ／Ｏ）ポート、ビデオＩ／Ｏポート、イヤホンポートなどがある。インターフェース・ユニット９０８は、外部装置からの入力（例えば、データ情報や電力など）を受信し、受信した入力を折りたたみ式スクリーン端末９００内の１つ以上の要素に送信するか、または、折りたたみ式スクリーン端末９００と外部装置の間でデータを送信できるために用いられる。
【０１４０】
メモリ９０９は、ソフトウェアプログラムやさまざまなデータを記憶するために用いられる。メモリ９０９は、主にプログラム記憶領域とデータ記憶領域を含むことができる。そのうち、プログラム記憶領域には、オペレーティング・システム、少なくとも１つの機能に必要とされるアプリケーション（音声再生機能や画像再生機能など）などを記憶することができる。データ記憶領域には、携帯電話の使用に基づいて作成されたデータ（音声データ、電話帳など）を記憶することができる。さらに、メモリ９０９には、高速ランダムアクセスメモリを含めることができ、さらに不揮発性メモリを含めることができ、たとえば、少なくとも一つの磁気ディスク記憶デバイス、フラッシュメモリデバイス、または他の揮発性ソリッドステート記憶デバイスなどである。
【０１４１】
プロセッサ９０１０は、折りたたみ式スクリーン端末の制御センターであり、さまざまなインターフェースおよび回線を使用して、折りたたみ式スクリーン端末の各部分に接続されている。メモリ９０９に記憶されているソフトウェアプログラムやモジュールを起動または実行し、メモリ９０９に記憶されたデータを呼び出し、折りたたみ式スクリーン端末の各種機能を実行し、データを処理することで、折りたたみ式スクリーン端末の全体監視を行い。プロセッサ９０１０は、１つ以上のプロセッシングユニットを含めることができる。選択的に、アプリケーション・プロセッサとモデムプロセッサを、プロセッサ９０１０に統合することができる。アプリケーション・プロセッサは、主にオペレーティング・システム、ユーザーインターフェース、アプリケーション・プログラムなどを処理する。モデムプロセッサは、主に無線通信を処理する。前述のモデムプロセッサは、プロセッサ９０１０に統合されなくてもよいことがわかる。
【０１４２】
折りたたみ式スクリーン端末９００には、さらに各部品に電力を供給する電源装置９０１１（例えば、バッテリなど）が含まれてもよい。選択的に、電源装置９０１１は、電源管理システムを介してプロセッサ９０１０に論理的に接続することができる。このようにして、電力管理システムを利用することで、充電管理、放電管理、電力消費管理などの機能を実現する。
【０１４３】
さらに、折りたたみ式スクリーン端末９００には、示されていない機能モジュールがいくつかある。詳細はここには記載されていない。
【０１４４】
選択的に、本開示の実施例はさらに、折りたたみ式スクリーン端末を提供する。プロセッサ９０１０、メモリ９０９、およびメモリに９０９に記憶されプロセッサ９０１０上で実行することができるコンピュータープログラムを含み、このコンピュータープログラムがプロセッサ９０１０によって実行されるとき、前述の角度決定方法の実施例におけるステップが実現され、同じ技術的効果が得られる。繰り返しを避けるため、ここでは詳細については説明しない。
【０１４５】
本開示の実施例はさらに、コンピューター可読記憶媒体を提供する。コンピュータープログラムがコンピューター可読の記憶媒体に記憶され、このコンピュータープログラムがプロセッサによって実行するとき、前述の角度決定方法の実施例の各プロセスを実現される。繰り返しを避けるため、ここでは詳細については説明しない。そのうち、前記コンピューター読み取り可能な記憶媒体とは、例えば、リードオンリーメモリ（Ｒｅａｄ−Ｏｎｌｙ  Ｍｅｍｏｒｙ、略してＲＯＭ）、ランダム・アクセス・メモリ（Ｒａｎｄｏｍ  Ａｃｃｅｓｓ  Ｍｅｍｏｒｙ、略してＲＡＭ）、磁気ディスク、または光ディスクなどである。
【０１４６】
本明細書における「含む」、「包含」という用語、またはほかの任意の変形は、非排他性の「包含」を意図的にカバーすることにより、一連の要素を含むプロセス、方法、物品または装置はそれらの要素を含むだけでなく、明確にリストされていない他の要素も含み、またはそのようなプロセス、方法、物品、または装置に固有の要素も含むようになる。それ以上の制限がない限り、「を一つ含む…」という文句によって限定されるた要素は、この要素を含むプロセス、方法、物品、または装置から排除されず、別の同一の要素も存在する。
【０１４７】
以上の実施方式の説明によれば、当業者が明確に理解すべきことは、上記実施例方法が、ソフトウェアと必要な共通のハードウェアプラットフォームと組み合わせて実現され、当然ながら、代わりにハードウェアで実現されてもよいが、多くの場合に、前者がより良い実施方式である。そのような理解に基づいて、本開示の技術案は、本質的には、または先行技術に寄与する部分は、ソフトウェア製品の形態で実施できる。このコンピュータソフトウェア製品は、一つの記憶媒体（ＲＯＭ／ＲＡＭ、磁気ディスク、または光ディスクなど）に記憶され、一台の端末（携帯電話、コンピューター、サーバー、エアコン、またはネットワーク機器などであってよい）が本開示の各実施例に記載された方法を実行するようにいくつかの指令が含まれている。
【０１４８】
以上は、添付の図面を結合して本開示の実施例を説明したが、本開示は、上記の具体的な実施方式に限定されない。上記の具体的な実施方式は、単なる例示であり、限定的ではない。当業者は、本開示の示唆で、本開示の主旨および特許請求の保護範囲から逸脱することなく、多くの形態を開発することもでき、そのようなすべての方式は、本開示の保護範囲に含まれる。
【図１】
2022501644.tif 000003
【図２】
2022501644.tif 000004
【図３】
2022501644.tif 000005
【図４】
2022501644.tif 000006
【図５】
2022501644.tif 000007
【図６】
2022501644.tif 000008
【図７】
2022501644.tif 000009
【図８】
2022501644.tif 000010
【図９】
2022501644.tif 000011
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
回転軸を介して回転自在に接続される第１のスクリーンと第２のスクリーンを含む折りたたみ式スクリーン端末に用いられる角度決定回路であって、
前記回転軸の外側に抵抗リングが嵌合されており、
前記角度決定回路は、
第１の電源、
一端が前記第１の電源の出力端子に電気的に接続される第１の抵抗、
前記第１のスクリーンに固設され、一端が前記第１の抵抗の他端に電気的に接続され、他端が前記抵抗リングに摺動自在に当接する第１の導電素子、
前記第２のスクリーンに固設され、一端が前記抵抗リングに摺動自在に当接し、他端が接地される第２の導電素子であって、前記抵抗リング上の前記第１の導電素子と前記第２の導電素子の摺動経路が前記抵抗リングの周方向の同一のリング状領域に位置する、第２の導電素子、および
前記第１の抵抗の他端と前記第２の導電素子の他端との間の分圧値を取得し、前記第１の電源の電圧値、前記第１の抵抗の抵抗値、および取得された分圧値に基づいて、前記第１のスクリーンと前記第２のスクリーンとのなす角を決定するためのプロセッサを含む、角度決定回路。
【請求項２】
前記抵抗リング上の前記第１の導電素子と前記第２の導電素子の当接位置が、前記リング状領域を第１のアークセクションと第２のアークセクションに分割し、前記第１のアークセクションは、前記第２のアークセクションよりも前記第１のスクリーンの表示面から離れており、
前記プロセッサは具体的に、
前記第１の電源の電圧値、前記第１の抵抗の抵抗値、および取得された分圧値に基づいて、前記第１のアークセクションと前記第２のアークセクションの第１の並列抵抗値を計算し、
前記リング状領域のプリセット抵抗値と前記第１の並列抵抗値に基づいて、前記第１のスクリーンと前記第２のスクリーンとのなす角を計算するために用いられる、請求項１に記載の角度決定回路。
【請求項３】
前記プロセッサに電気的に接続され、前記第１のスクリーンと前記第２のスクリーンとのなす角がプリセット角度であるターゲットイベントを検出するために用いられる、検出モジュールをさらに含み、
前記プロセッサはさらに、
前記検出モジュールによって前記ターゲットイベントが検出された場合、前記第１の抵抗の他端と前記第２の導電素子の他端との間の分圧値を取得し、
前記第１の電源の電圧値、前記第１の抵抗の抵抗値、および取得された分圧値に基づいて、前記第１のアークセクションと前記第２のアークセクションの第２の並列抵抗値を計算し、
前記プリセット角度と前記第２の並列抵抗値に基づいて、前記リング状領域のリアルタイムの抵抗値を計算し、
前記リング状領域のプリセット抵抗値を、算出されたリアルタイムの抵抗値に更新するために用いられる、請求項２に記載の角度決定回路。
【請求項４】
前記第１のスクリーンには第１の接続部が固設されており、前記第２のスクリーンには第２の接続部が固設されており、前記第２の接続部と前記第１の接続部がお互いに嵌合されており、
前記検出モジュールは、
前記第２の接続部の壁に固設され、前記第２のスクリーンの表示面とのなす角が０度である、溝型フォトカプラ、および
前記第１の接続部の壁に固設され、前記第１のスクリーンの表示面とのなす角が前記プリセット角度であり、前記プリセット角度が０度よりも大きく１８０度以下である金属バッフルであって、前記第１のスクリーンと前記第２のスクリーンの相対的回転中、前記金属バッフルが前記溝型フォトカプラの溝に出入りすることができる金属バッフルを含み、
前記プロセッサは、前記溝型フォトカプラのコレクタ電極に電気的に接続され、前記プロセッサは具体的に、
前記コレクタ電極の出力状態がプリセット変化を生じたことが検出された場合、前記ターゲットイベントが検出されたと判断するために用いられる、請求項３に記載の角度決定回路。
【請求項５】
前記プリセット角度が１８０度未満であり、
前記プロセッサは具体的に、
前記コレクタ電極の出力状態が第１の状態から第２の状態に切り替えた後、第１の状態に戻されたことが検出された場合、前記ターゲットイベントが検出されたと判断するために用いられ、
あるいは、
前記プリセット角度が１８０度に等しく、
前記プロセッサは具体的に、
前記コレクタ電極の出力状態が第１の状態から第２の状態に切り替えたことが検出された場合、前記ターゲットイベントが検出されたと判断するために用いられる、請求項４に記載の角度決定回路。
【請求項６】
前記プリセット角度が１８０度未満であり、
前記プロセッサは具体的に、
前記ターゲットイベントが検出されたと判断された場合、前記出力状態が第２の状態に切り替える前と後の二つの第１の状態における、前記第１の抵抗の他端と前記第２の導電素子の他端との間の分圧値を取得し、
前記第１の電源の電圧値、前記第１の抵抗の抵抗値、および前記２つの分圧値の平均値に基づいて、前記第１のアークセクションと前記第２のアークセクションの第２の並列抵抗値を計算するために用いられる、請求項５に記載の角度決定回路。
【請求項７】
前記第１のスクリーンには第１の接続部が固設されており、前記第２のスクリーンには第２の接続部が固設されており、前記第２の接続部と前記第１の接続部がお互いに嵌合されており、
前記検出モジュールは、
第２の電源、
一端が前記第２の電源の出力端子に電気的に接続される第２の抵抗、
前記第２の接続部の壁に固設され、前記第２のスクリーンの表示面とのなす角が０度であり、前記第２の抵抗の他端に電気的に接続される金属弾性片、および
前記第１の接続部の壁に固設され、前記第１のスクリーンの表示面とのなす角が前記プリセット角度である金属バッフルであって、前記金属バッフルが接地され、前記プリセット角度が０度よりも大きく１８０度以下であり、前記第１のスクリーンと前記第２のスクリーンの相対的回転中、前記金属弾性片と前記金属バッフルとが接触できる金属バッフルを含み、
前記プロセッサは金属弾性片にも電気的に接続され、前記プロセッサは具体的に、
前記金属弾性片の信号状態が第３の状態から第４の状態に切り替えたことが検出された場合、前記ターゲットイベントが検出されたと判断するために用いられる、請求項３に記載の角度決定回路。
【請求項８】
前記プロセッサは具体的に、
取得された分圧値が前記プリセット角度に対応するプリセット電圧範囲内にある場合、前記第１の電源の電圧値、前記第１の抵抗の抵抗値、および取得された分圧値に基づいて、前記第１のアークセクションと前記第２のアークセクションの第２の並列抵抗値を計算するために用いられる、請求項７に記載の角度決定回路。
【請求項９】
アナログ・デジタルコンバータＡＤＣであって、前記プロセッサが前記アナログ・デジタルコンバータＡＤＣを介して前記第１の抵抗と前記第１の導電素子との共通端子に電気的に接続され、前記プロセッサは具体的に、前記アナログ・デジタルコンバータＡＤＣによるサンプリングで得られた分圧値を取得するために用いられるアナログ・デジタルコンバータＡＤＣをさらに含む、請求項１から８のいずれか一項に記載の角度決定回路。
【請求項１０】
請求項１から９のいずれか一項に記載の角度決定回路を含む、折りたたみ式スクリーン端末。
【請求項１１】
請求項１に記載の角度決定回路に用いられる角度決定方法であって、
前記角度決定回路内の第１の抵抗の他端と、前記角度決定回路内の第２の導電素子の他端との間の分圧値を取得すること、および
前記角度決定回路内の第１の電源の電圧値、前記第１の抵抗の抵抗値、および取得された分圧値に基づいて、前記角度決定回路を有する折りたたみ式スクリーン端末の第１のスクリーンと第２のスクリーンとのなす角を決定することを含む、角度決定方法。
【請求項１２】
請求項２に記載の角度決定回路に用いられ、
前記角度決定回路内の第１の電源の電圧値、前記第１の抵抗の抵抗値、および取得された分圧値に基づいて、前記角度決定回路を有する折りたたみ式スクリーン端末の第１のスクリーンと第２のスクリーンとのなす角を決定することは、
前記角度決定回路内の第１の電源の電圧値、前記第１の抵抗の抵抗値、および取得された分圧値に基づいて、第１のアークセクションと第２のアークセクションの第１の並列抵抗値を計算すること、および
リング状領域のプリセット抵抗値と前記第１の並列抵抗値に基づいて、前記角度決定回路を有する折りたたみ式スクリーン端末の第１のスクリーンと第２のスクリーンとのなす角を計算することを含む、請求項１１に記載の角度決定方法。
【請求項１３】
請求項３に記載の角度決定回路に用いられ、
前記角度決定方法はさらに、
前記角度決定回路内の検出モジュールによって前記第１のスクリーンと前記第２のスクリーンとのなす角がプリセット角度であるターゲットイベントが検出された場合、前記第１の抵抗の他端と前記第２の導電素子の他端との間の分圧値を取得すること、
前記第１の電源の電圧値、前記第１の抵抗の抵抗値、および取得された分圧値に基づいて、前記第１のアークセクションと前記第２のアークセクションの第２の並列抵抗値を計算すること、
前記プリセット角度と前記第２の並列抵抗値に基づいて、前記リング状領域のリアルタイムの抵抗値を計算すること、および
前記リング状領域のプリセット抵抗値を、算出されたリアルタイムの抵抗値に更新することを含む、請求項１２に記載の角度決定方法。
【請求項１４】
請求項４に記載の角度決定回路に用いられ、
前記角度決定回路内の検出モジュールによってターゲットイベントが検出された場合、前記第１の抵抗の他端と前記第２の導電素子の他端との間の分圧値を取得することは、
溝型フォトカプラのコレクタ電極の出力状態がプリセット変化を生じたことが検出された場合、前記ターゲットイベントが検出されたと判断し、前記第１の抵抗の他端と前記第２の導電素子の他端との間の分圧値を取得することを含む、請求項１３に記載の角度決定方法。
【請求項１５】
前記プリセット角度が１８０度未満であり、
溝型フォトカプラのコレクタ電極の出力状態がプリセット変化を生じたことが検出された場合、前記ターゲットイベントが検出されと判断することは、
溝型フォトカプラのコレクタ電極の出力状態が第１の状態から第２の状態に切り替えた後、第１の状態に戻されたことが検出された場合、前記ターゲットイベントが検出されたと判断することを含み、
あるいは、
前記プリセット角度が１８０度に等しく、
溝型フォトカプラのコレクタ電極の出力状態がプリセット変化を生じたことが検出された場合、前記ターゲットイベントが検出されと判断することは、
溝型フォトカプラのコレクタ電極の出力状態が第１の状態から第２の状態に切り替えたことが検出された場合、前記ターゲットイベントが検出されたと判断することを含む、請求項１４に記載の角度決定方法。
【国際調査報告】
2022501644.tif 000012
2022501644.tif 000013
2022501644.tif 000014
2022501644.tif 000015